【事件の表示】
　特許第６３７３９６４号発明「ＨＦ及び１，３，３，３−テトラフルオロプロペンを含む組成物」の特許異議申立事件について、次のとおり決定する。
【結　論】
　特許第６３７３９６４号の特許請求の範囲を訂正請求書に添付された訂正特許請求の範囲のとおり、訂正後の請求項〔１−１２〕について訂正することを認める。
　特許第６３７３９６４号の請求項１ないし８、１０ないし１２に係る特許を維持する。
　特許第６３７３９６４号の請求項９に係る特許についての特許異議の申立てを却下する。
【理　由】
第１　手続の経緯
　特許第６３７３９６４号（以下、「本件特許」という。）の請求項１〜１２に係る特許についての出願は、２０１４年２月２４日（パリ条約による優先権主張外国庁受理　２０１３年３月２０日　フランス（ＦＲ））を国際出願日とする出願であって、平成３０年７月２７日にその特許権の設定登録がなされ、同年８月１５日に特許掲載公報が発行されたものである。
　その後、その特許の全請求項について、平成３１年２月１５日に特許異議申立人　鈴木　愛子（以下、「申立人」という。）により特許異議の申立てがされ、令和１年５月２３日付けで取消理由が通知され、同年８月２６日に意見書の提出及び訂正の請求がなされたものである。
　なお、同年９月２５日付けで、訂正請求があった旨の通知（特許法第１２０条の５第５項）がされ、申立人に対し相当の期間を指定して意見書を提出する機会を与えたが、意見書の提出はなかった。
第２　訂正の適否
１　訂正の趣旨
　本件特許の特許請求の範囲を訂正請求書に添付した訂正特許請求の範囲のとおり、訂正後の請求項１〜１２について訂正（以下、「本件訂正」という。）することを求めるものである。
２　訂正の内容
　本件訂正の内容は、以下の訂正事項１〜５のとおりである。（なお、下線は訂正箇所を示す。）
（１）訂正事項１
　特許請求の範囲の請求項１に、
「１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される」
と記載されているのを、
「１，１，１，２，２−ペンタフルオロプロパン
、３
に訂正する（請求項１の記載を引用する請求項２、３及び１０〜１２も同様に訂正する）。
（２）訂正事項２
　特許請求の範囲の請求項２に、
「３，３，３−トリフルオロ−２−クロロプロペン、Ｅ−３，３，３−トリフルオロ−１−クロロプロペン、３，３，３−トリフルオロプロペン、１，１，１，２，２−ペンタフルオロプロパン及び２，３，３，３−テトラフルオロプロペンから選択される」
と記載されているのを、
「３，３，３−トリフルオロ−２−クロロプロペン、Ｅ−３，３，３−トリフルオロ−１−クロロプロペン、３，３，３−トリフルオロプロペン
及び
ンか
に訂正する（請求項２の記載を引用する請求項３及び１０〜１２も同様に訂正する）。
（３）訂正事項３
ア　特許請求の範囲の請求項４に、
「１，３，３，３−テトラフルオロプロペンがＺ−１，３，３，３−テトラフルオロプロペンである、請求項１から３の何れか一項に記載の組成物。」
と記載されているのを、
「
フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　
不均一共沸又は不均一共沸様であり、かつ、
共沸又は共沸様組成物
に訂正する（請求項４の記載を引用する請求項１０〜１２も同様に訂正する）。
イ　特許請求の範囲の請求項５に、
「フッ化水素と、１，３，３，３−テトラフルオロプロペンと、３，３，３−トリフルオロ−２−クロロプロペンと、任意選択的に、Ｅ−３，３，３−トリフルオロ−１−クロロプロペン、３，３，３−トリフルオロプロペン、１，１，１，２，２−ペンタフルオロプロパン及び２，３，３，３−テトラフルオロプロペンから選択される一又は複数の有機化合物とを含む、請求項１から４の何れか一項に記載の組成物。」
と記載されているのを、
「
フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　
不均一共沸又は不均一共沸様であり、かつ、
共沸又は共沸様組成物
に訂正する（請求項５の記載を引用する請求項１０〜１２も同様に訂正する）。
ウ　特許請求の範囲の請求項６に、
「フッ化水素と、１，３，３，３−テトラフルオロプロペンと、Ｅ−３，３，３−トリフルオロ−１−クロロプロペンと、任意選択的に、３，３，３−トリフルオロプロペン、１，１，１，２，２−ペンタフルオロプロパン及び２，３，３，３−テトラフルオロプロペンから選択される一又は複数の有機化合物とを含む、請求項１から５の何れか一項に記載の組成物。」
と記載されているのを、
「
フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　
不均一共沸又は不均一共沸様であり、かつ、
共沸又は共沸様組成物
に訂正する（請求項６の記載を引用する請求項１０〜１２も同様に訂正する）。
エ　特許請求の範囲の請求項７に、
「フッ化水素と、１，３，３，３−テトラフルオロプロペンと、３，３，３−トリフルオロプロペンと、任意選択的に、１，１，１，２，２−ペンタフルオロプロパン及び２，３，３，３−テトラフルオロプロペンから選択される一又は複数の有機化合物とを含む、請求項１から６の何れか一項に記載の組成物。」
と記載されているのを、
「
フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　
不均一共沸又は不均一共沸様であり、かつ、
共沸又は共沸様組成物
に訂正する（請求項７の記載を引用する請求項１０〜１２も同様に訂正する）。
オ　特許請求の範囲の請求項８に、
「フッ化水素と、１，３，３，３−テトラフルオロプロペンと、１，１，１，２，２−ペンタフルオロプロパンと、任意選択的に２，３，３，３−テトラフルオロプロペンとを含む、請求項１から７の何れか一項に記載の組成物。」
と記載されているのを、
「
フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　
不均一共沸又は不均一共沸様であり、かつ、
共沸又は共沸様組成物
に訂正する（請求項８の記載を引用する請求項１０〜１２も同様に訂正する）。
（４）訂正事項４
　特許請求の範囲の請求項９を削除する。
（５）訂正事項５
ア　特許請求の範囲の請求項１０に、「請求項１から９の何れか一項」と記載されているのを、「請求項１から
８
イ　特許請求の範囲の請求項１１に、「請求項１から１０の何れか一項」と記載されているのを、「請求項１から
８及び
ウ　特許請求の範囲の請求項１２に、「請求項１から１１の何れか一項」と記載されているのを、「請求項１から
８、１０及び
３　一群の請求項について
　訂正前の請求項１〜１２について、請求項２〜１２はそれぞれ請求項１を引用しているものであって、訂正事項１によって記載が訂正される請求項１に連動して訂正される一群の請求項である。
　したがって、訂正前の請求項１〜１２に対応する訂正後の請求項１〜１２に係る本件訂正は、特許法第１２０条の５第４項に規定する一群の請求項に対してされたものである。
４　訂正の目的の適否、新規事項の追加の有無、特許請求の範囲の拡張・変更の存否
（１）訂正事項１について
　訂正事項１は、訂正前の請求項１に記載された「１から３個の炭素原子を含む一又は複数の（ヒドロ）ハロカーボン化合物」の選択肢から「２，３，３，３−テトラフルオロプロペン」を削除するものであるから、特許請求の範囲の減縮を目的とするものであり、新規事項の追加に該当せず、実質上特許請求の範囲を拡張し、又は変更するものでもない。
　また、訂正後の請求項２、３及び１０〜１２は、訂正後の請求項１を引用するものであるから、請求項２、３及び１０〜１２についての訂正も同様である。
（２）訂正事項２について
　訂正事項２は、訂正前の請求項２に記載された「少なくとも一又は複数の有機化合物」の選択肢から「２，３，３，３−テトラフルオロプロペン」を削除するものであるから、特許請求の範囲の減縮を目的とするものであり、新規事項の追加に該当せず、実質上特許請求の範囲を拡張し、又は変更するものでもない。
　また、訂正後の請求項３及び１０〜１２は、訂正後の請求項２を引用するものであるから、請求項３及び１０〜１２についての訂正も同様である。
（３）訂正事項３について
　訂正事項３のア〜オは、それぞれが訂正前の請求項１を引用する訂正前の請求項４〜８について、いずれも独立形式の請求項に改めるとともに、訂正前の請求項１以外の請求項を引用するものを削除するものであるから、特許請求の範囲の減縮を目的とするとともに、他の請求項の記載を引用する請求項の記載を当該他の請求項の記載を引用しないものとすることを目的とするものであり、新規事項の追加に該当せず、実質上特許請求の範囲を拡張し、又は変更するものでもない。
　また、訂正後の請求項１０〜１２は、訂正後の請求項４〜８を引用するものであるから、請求項１０〜１２についての訂正も同様である。
（４）訂正事項４について
　訂正事項４は、訂正前の請求項９を削除するものであるから、特許請求の範囲の減縮を目的とするものであり、新規事項の追加に該当せず、実質上特許請求の範囲を拡張し、又は変更するものでもない。
（５）訂正事項５について
　訂正事項５のア〜ウは、訂正事項４に伴い、それぞれ請求項９を引用しないものとするものであるから、特許請求の範囲の減縮を目的とするものであり、新規事項の追加に該当せず、実質上特許請求の範囲を拡張し、又は変更するものでもない。
５　小括
　以上のとおりであるから、本件訂正は、特許法第１２０条の５第２項ただし書第１号又は第４号に掲げる事項を目的とするものであり、同条第９項において準用する同法第１２６条第５項及び第６項の規定に適合する。
　したがって、特許請求の範囲を、訂正請求書に添付された訂正特許請求の範囲のとおり、訂正後の請求項〔１〜１２〕について訂正することを認める。
第３　本件特許発明
　上記第２のとおり本件訂正は認められるので、本件特許の請求項１〜８、１０〜１２に係る発明は、訂正請求書に添付された訂正特許請求の範囲の請求項１〜８、１０〜１２に記載された事項により特定される以下のとおりのものである。
　なお、以下、本件特許の請求項１〜８、１０〜１２に係る発明をそれぞれ「本件特許発明１」などといい、これらをまとめて「本件特許発明」ともいう。
「【請求項１】
　フッ化水素、１，３，３，３−テトラフルオロプロペン、及び１，１，１，２，２−ペンタフルオロプロパン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　不均一共沸又は不均一共沸様である、
共沸又は共沸様組成物。
【請求項２】
　フッ化水素、１，３，３，３−テトラフルオロプロペン、並びに、３，３，３−トリフルオロ−２−クロロプロペン、Ｅ−３，３，３−トリフルオロ−１−クロロプロペン、３，３，３−トリフルオロプロペン及び１，１，１，２，２−ペンタフルオロプロパンから選択される少なくとも一又は複数の有機化合物を含む、請求項１に記載の組成物。
【請求項３】
　１，３，３，３−テトラフルオロプロペンがＥ−１，３，３，３−テトラフルオロプロペンである、請求項１又は２に記載の組成物。
【請求項４】
　フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　不均一共沸又は不均一共沸様であり、かつ、１，３，３，３−テトラフルオロプロペンがＺ−１，３，３，３−テトラフルオロプロペンである、
共沸又は共沸様組成物。
【請求項５】
　フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　不均一共沸又は不均一共沸様であり、かつ、フッ化水素と、１，３，３，３−テトラフルオロプロペンと、３，３，３−トリフルオロ−２−クロロプロペンと、任意選択的に、Ｅ−３，３，３−トリフルオロ−１−クロロプロペン、３，３，３−トリフルオロプロペン、１，１，１，２，２−ペンタフルオロプロパン及び２，３，３，３−テトラフルオロプロペンから選択される一又は複数の有機化合物とを含む、
共沸又は共沸様組成物。
【請求項６】
　フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　不均一共沸又は不均一共沸様であり、かつ、フッ化水素と、１，３，３，３−テトラフルオロプロペンと、Ｅ−３，３，３−トリフルオロ−１−クロロプロペンと、任意選択的に、３，３，３−トリフルオロプロペン、１，１，１，２，２−ペンタフルオロプロパン及び２，３，３，３−テトラフルオロプロペンから選択される一又は複数の有機化合物とを含む、
共沸又は共沸様組成物。
【請求項７】
　フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　不均一共沸又は不均一共沸様であり、かつ、フッ化水素と、１，３，３，３−テトラフルオロプロペンと、３，３，３−トリフルオロプロペンと、任意選択的に、１，１，１，２，２−ペンタフルオロプロパン及び２，３，３，３−テトラフルオロプロペンから選択される一又は複数の有機化合物とを含む、
共沸又は共沸様組成物。
【請求項８】
　フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　不均一共沸又は不均一共沸様であり、かつ、フッ化水素と、１，３，３，３−テトラフルオロプロペンと、１，１，１，２，２−ペンタフルオロプロパンと、任意選択的に２，３，３，３−テトラフルオロプロペンとを含む、
共沸又は共沸様組成物。
【請求項９】
（削除）
【請求項１０】
　１から９５重量％のフッ化水素及び合計９９から５重量％の有機化合物を含む、請求項１から８の何れか一項に記載の組成物。
【請求項１１】
　５から８５重量％のフッ化水素及び合計９５から１５重量％の有機化合物を含む、請求項１から８及び１０の何れか一項に記載の組成物。
【請求項１２】
　前記組成物の沸点が、０．１から４４ｂａｒの絶対圧で−２０℃から８０℃である、請求項１から８、１０及び１１の何れか一項に記載の組成物。」
第４　取消理由通知に記載した取消理由について
１　取消理由の概要
　訂正前の請求項１〜３及び訂正前の請求項１〜３を引用する請求項９〜１２に係る特許に対して、当審が令和１年５月１７日付けで特許権者に通知した取消理由の要旨は、次のとおりである。
　なお、以下、甲第１号証などを単に「甲１」などという。
取消理由（新規性）
　本件特許の請求項１〜３及び９〜１２に係る発明は、本件特許の出願に係る優先日前に日本国内において、頒布された甲１に記載された発明であって、特許法第２９条第１項第３号に該当し、特許法第２９条第１項の規定に違反してされたものであるから、同法第１１３条第２号に該当し、取り消すべきものである。
２　甲号証の記載
　甲１（特表２０１１−５１３２２８号公報）には、次の記載がある。
（甲１ａ）「【技術分野】
【０００１】
　本開示は概してフルオロオレフィンからのＨＦの分離方法に関する。
【背景技術】
【０００２】
　フルオロオレフィンの化学的製造は、所望のフルオロオレフィンとフッ化水素（ＨＦ）との混合物を生成する可能性がある。フルオロオレフィンとＨＦとの分離は常に容易に成し遂げられるわけではない。蒸留およびデカンテーションの既存の方法は、非常に多くの場合にこれらの化合物の分離には効果がない。水性洗浄は有効であり得るが、大量の洗浄液の使用を必要とし、後で乾燥しなければならない湿潤生成物だけでなく過度の廃棄物を生み出す。それ故、ＨＦをフルオロオレフィンから分離する新規方法が必要とされている。」
（甲１ｂ）「【図面の簡単な説明】
【００１２】
　・・・
【図６】第１塔の凝縮器を出る２相混合物がデカンテーションされ、それぞれ、ＨＦＣ−１２３４ｚｅおよびＨＦ塔に供給されるＨＦＣ−１２３４ｚｅに富む流れおよびＨＦに富む流れへ分離される図３に示されるプロセスの別の実施形態を例示する。」
（甲１ｃ）「【００３２】
　本明細書で用いるところでは、フルオロオレフィンは、炭素、フッ素および任意選択的に水素ならびにまた少なくとも１個の二重結合を含有する化合物である。フルオロオレフィンには、とりわけ、１，３，３，３−テトラフルオロプロペン（ＨＦＣ−１２３４ｚｅ、ＣＦ３ＣＦ＝ＣＨ２）、２，３，３，３−テトラフルオロプロペン（ＨＦＣ−１２３４ｙｆ、ＣＦ３ＣＦ＝ＣＨ２）、１，２，３，３，３−ペンタフルオロプロペン（ＨＦＣ−１２２５ｙｅ、ＣＦ３ＣＨ＝ＣＨＦ）、および３，３，３−トリフルオロプロペン（ＨＦＣ−１２４３ｚｆ、ＣＦ３ＣＨ＝ＣＨ２）が含まれるが、それらに限定されない。さらに、フルオロオレフィンに富む相について言及するとき、これは、単一フルオロオレフィンまたは２つ以上のフルオロオレフィンの混合物を意味してもよい。」
（甲１ｄ）「【０１１４】
５．ＨＦＣ−１２３４ｚｅおよびＨＦＣ−１２３４ｙｆの同時生産物からの生成物の分離
　ＨＦＣ−１２３４ｙｆ／ＨＦ共沸混合物はまた、ＨＦＣ−１２３４ｙｆおよびＨＦＣ−１２３４ｚｅの同時生産に役立つために使用されてもよいことが分かった。ＨＦＣ−１２３４ｙｆは、ＨＦＣ−２４５ｅｂ（ＣＦ３ＣＨＦＣＨ２Ｆ、１，１，１，２，３−ペンタフルオロプロパン）および／またはＨＦＣ−２４５ｃｂ（ＣＦ３ＣＦ２ＣＨ３、１，１，１，２，２−ペンタフルオロプロパン）の脱フッ化水素によって製造されてもよい。ＨＦＣ−２４５ｅｂおよび／またはＨＦＣ−２４５ｃｂならびにＨＦＣ−２４５ｆａおよび／またはＨＦＣ−２４５ｅｂが、好適な脱フッ化水素触媒を含有する、そして好適な温度で動作する反応器に同時供給される場合、ＨＦＣ−１２３４ｙｆ、ＨＦＣ−１２３４ｚｅ、ＨＦ、未反応のＨＦＣ−２４５ｅｂおよび／またはＨＦＣ−２４５ｃｂ、ならびに未反応のＨＦＣ−２４５ｆａを含む混合物が生成するであろう。脱フッ化水素反応は、ＰＣＴ公開番号国際公開第２００８／００２５００号パンフレット（出願番号ＰＣＴ／ＵＳ０７／１４６４５）に詳細に記載されている。ＨＦＣ−１２３４ｙｆからのＨＦＣ−１２３４ｚｅの分離は、通常の蒸留プロセスでは困難であろう。
【０１１５】
　一実施形態では、ＨＦＣ−１２３４ｚｅからのＨＦＣ−１２３４ｙｆの分離方法であっって、ａ）ＨＦＣ−２４５ｅｂおよび／またはＨＦＣ−２４５ｃｂ、および／またはＨＦＣ−２４５ｆａ、ＨＦＣ−１２３４ｚｅ、ＨＦＣ−１２３４ｙｆ、およびＨＦの混合物を第１蒸留塔に供給する工程と；ｂ）ＨＦＣ−１２３４ｙｆおよびＨＦを含む共沸混合物組成物を第１留出物組成物として取り去る工程と；ｃ）ＨＦＣ−２４５ｅｂおよび／またはＨＦＣ−２４５ｃｂ、および／またはＨＦＣ−２４５ｆａ、およびＨＦＣ−１２３４ｚｅを含む組成物を第１ボトム組成物として取り去る工程とを含む方法が提供される。
【０１１６】
　別の実施形態では、第１ボトム組成物は、ＨＦＣ−２４５ｅｂおよび／またはＨＦＣ−２４５ｃｂ、および／またはＨＦＣ−２４５ｆａ、およびＨＦを本質的に含まないＨＦＣ−１２３４ｚｅを含んでもよい。この実施形態のためには、混合物中のＨＦの全てと共沸混合物を形成するのに十分なＨＦＣ−１２３４ｙｆが存在しなければならない。一実施形態では、精製ＨＦＣ−１２３４ｙｆが混合物と一緒に蒸留塔に供給されてもよい。別の実施形態では、第１留出物組成物は、本明細書で先に記載されたように凝縮して２つの液相を形成し、デカンターに供給されてもよい。次に、デカンターからのＨＦＣ−１２３４ｙｆに富む相が第１蒸留塔にフィードバックされてもよい。
　・・・
【０１１９】
　一実施形態では、ＨＦＣ−２４５ｅｂのみが脱フッ化水素反応器に供給される。この実施形態では、脱フッ化水素反応器からの供給物中に含有されるＨＦＣ−１２３４ｙｆは、ＨＦ／ＨＦＣ−１２３４ｙｆ共沸混合物が供給混合物中のＨＦ共沸混合物の全てのうちで最低沸点を有するので、ＨＦＣ−２４５ｅｂ、ＨＦＣ−１２３４ｚｅ、ＨＦＣ−１２３４ｙｆ、およびＨＦを含有する、供給混合物からＨＦを除去するためのエントレーナーとして使用される。
【０１２０】
　ここで図６について言及すると、未反応のＨＦＣ−２４５ｅｂ、ＨＦ、ＨＦＣ−１２３４ｙｆ、およびＥ−ＨＦＣ−１２３４ｚｅを含む、脱フッ化水素反応器を出た供給流れ１０が第１蒸留塔２０に供給される。塔２０は、供給物中のＨＦＣ−２４５ｅｂの本質的に全て、Ｅ−ＨＦＣ−１２３４ｚｅのほとんど、および供給物中の比較的少量のＨＦＣ−１２３４ｙｆが、ＨＦを本質的に含まず、流れ３０によって塔のボトムから取り去られるように運転される。流れ３０は、さらなる精製を任意選択的に受けても、または脱フッ化水素反応器にリサイクルされてもよい。ＨＦの本質的に全て、ＨＦＣ−１２３４ｙｆの大部分および、任意選択的に、変動する量のＨＦＣ−２４５ｅｂおよび／またはＥ−ＨＦＣ−１２３４ｚｅが、流れ４０によって塔のトップから取り去られ、凝縮器５０で凝縮し、冷却器６０で冷却され、第１デカンター７０に供給され、そこで第１のＨＦに富む相および第１のフルオロオレフィンに富む相画分が形成される。第１のフルオロオレフィンに富む相画分が流れ９０によって取り去られ、２つの部分に分けられる。第１部分は流れ９５によって還流として第１塔２０に戻され、残りの部分は流れ１００によって第２蒸留塔１１０に送られる。流れ９５の流量は、流れ１０中に存在するＨＦの本質的に全てが低沸点ＨＦ／ＨＦＣ−１２３４ｙｆ共沸混合物の存在のために塔２０のトップから蒸留されることが可能であるのに十分な追加のＨＦＣ−１２３４ｙｆを流れ９５が含有するように調節される。
　流れ１００（デカンター７０からの第１のフルオロオレフィンに富む相の一部）が第２蒸留塔１１０に供給され、そこでそれは、流れ１２０によって取り去られる、ＨＦを本質的に含まないフルオロオレフィンボトム生成物と、流れ１３０によって取り去られる、ＨＦ／ＨＦＣ−１２３４ｙｆ共沸混合物に近い留出物組成物とに分離される。
【０１２２】
　第１のＨＦに富む相画分（第１デカンター７０からの）が、流れ２００による第２デカンター１８０からの第２のＨＦに富む相と一緒に流れ８０によって第３蒸留塔２１０に供給される。第３蒸留塔２１０への両供給物（流れ８０および２００）は、ＨＦＣ−１２３４ｙｆを本質的に含まないＨＦボトム生成物が塔２１０で得られ、流れ２２０によって取り去られ得るようにＨＦ／ＨＦＣ−１２３４ｙｆ共沸混合物と比べて過剰のＨＦを含有する組成を有する。第３塔からの留出物は、ＨＦ／ＨＦＣ−１２３４ｙｆ共沸混合物に近い組成を有し、流れ２３０によって取り去られる。塔１１０および２１０からの留出物（流れ１３０および２３０）は、それぞれ、凝縮器１４０および２４０で凝縮し、流れ１５０および２５０を形成し、一緒に混合され、先ず第２冷却器１６０に、次に第２デカンター１８０に送られ、そこで第２のフルオロオレフィンに富むおよび第２のＨＦに富む液相画分が形成される。第２のフルオロオレフィンに富む画分は、流れ１９０によってデカンター１８０から取り去られ、さらなる分離のために第２塔１１０に供給される。第２のＨＦに富む画分は、流れ２００によってデカンター１８０から取り去られ、さらなる分離のために第３塔２１０に供給される。」
（甲１ｅ）「【０１６１】
実施例９
　実施例９は、ＨＦＣ−２４５ｅｂの気相脱フッ化水素によるフルオロオレフィンＨＦＣ−１２３４ｙｆおよびＥ−ＨＦＣ−１２３４ｚｅの同時生産のための分離方法を実証する。本プロセスへの供給は、ＨＦＣ−１２３４ｙｆへの９０％選択率およびＥ−ＨＦＣ−１２３４ｚｅへの１０％選択率で、ＨＦＣ−２４５ｅｂの７５％転化率を仮定している。本実施例の目的のためには、蒸留プロセスへの供給物中に存在する少量のＺ−ＨＦＣ−１２３４ｚｅ異性体は無視される。
【０１６２】
　脱フッ化水素反応器からの供給物中に含有されるＨＦＣ−１２３４ｙｆを、ＨＦＣ−２４５ｅｂ、Ｅ−ＨＦＣ−１２３４ｚｅ、ＨＦＣ−１２３４ｙｆを含有する供給混合物からＨＦを除去するためのエントレーナーとして使用する。これは、ＨＦ／ＨＦＣ−１２３４ｙｆ共沸混合物が供給混合物中の他のＨＦ共沸混合物のどれよりも低い沸点を有するので可能である。
【０１６３】
　ここで図６について言及すると、未反応のＨＦＣ−２４５ｅｂ、ＨＦ、ＨＦＣ−１２３４ｙｆ、およびＥ−ＨＦＣ−１２３４ｚｅを含む、脱フッ化水素反応器を出た供給流れ１０を、４０理論段を含有する第１蒸留塔２０のトップから３０番目の段に供給する。塔２０は、供給物中のＨＦＣ−２４５ｅｂの本質的に全て、Ｅ−ＨＦＣ−１２３４ｚｅのほとんど、および供給物中の比較的少量のＨＦＣ−１２３４ｙｆを、ＨＦを本質的に含まずに、流れ３０によって塔のボトムから取り去るように運転する。流れ３０は、さらなる精製を任意選択的に受けても、または脱フッ化水素反応器にリサイクルされてもよい。ＨＦの本質的に全て、ＨＦＣ−１２３４ｙｆの大部分および、任意選択的に、変動する量のＨＦＣ−２４５ｅｂおよび／またはＥ−ＨＦＣ−１２３４ｚｅを、流れ４０によって塔のトップから取り去り、凝縮器５０で凝縮させ、冷却器６０で冷却し、第１デカンター７０に供給し、そこで第１のＨＦに富むおよび第１のフルオロオレフィンに富む相画分を形成する。第１のフルオロオレフィンに富む相画分を流れ９０によって取り去り、２つの部分に分ける。第１部分を流れ９５によって還流として第１塔に戻し、残りの部分を流れ１００によって第２蒸留塔１１０に送る。流れ９５の流量を、流れ１０中に存在するＨＦの本質的に全てを低沸点ＨＦ／ＨＦＣ−１２３４ｙｆ共沸混合物の存在のために塔２０のトップから蒸留させることができるのに十分な追加のＨＦＣ−１２３４ｙｆを流れ９５が含有するように調節する。
【０１６４】
　流れ１００を、流れ１９０による第２デカンター１８０からの第２のフルオロオレフィンに富む相画分と一緒に第２蒸留塔１１０（１９理論段を含有する）のトッププレートに供給する。組み合わせた流れ１００および１９０は、流れ１２０によって取り去られる、ＨＦを本質的に含まないフルオロオレフィンボトム生成物と、流れ１３０によって取り去られる、ＨＦ／ＨＦＣ−１２３４ｙｆ共沸混合物に近い留出物組成物とに分離される。これは、塔１１０への組み合わせた供給物がＨＦ／ＨＦＣ−１２３４ｙｆ共沸組成物と比べて過剰のＨＦＣ−１２３４ｙｆを含有するので起こる。
【０１６５】
　第１デカンター７０からの第１のＨＦに富む相画分を、流れ２００による第２デカンター１８０からの第２のＨＦに富む相画分と一緒に流れ８０によって第３蒸留塔２１０（９理論段を含有する）のトップ段に供給する。第３塔への両方の供給物（流れ８０および２００）は、ＨＦＣ−１２３４ｙｆを本質的に含まないＨＦボトム生成物が塔２１０で得られ、流れ２２０によって取り去られ得るようにＨＦ／ＨＦＣ−１２３４ｙｆ共沸混合物と比べて過剰のＨＦを含有する組成を有する。第３塔からの留出物は、ＨＦ／ＨＦＣ−１２３４ｙｆ共沸混合物に近い組成を有し、流れ２３０によって取り去られる。塔１１０および２１０からの留出物（流れ１３０および２３０）を、それぞれ、凝縮器１４０および２４０で凝縮させ、流れ１５０および２５０を形成し、混ぜ合わせ、先ず第２冷却器１６０に、次に第２デカンター１８０に送り、そこで第２のフルオロオレフィンに富むおよび第２のＨＦに富む液相画分を形成する。第２のフルオロオレフィンに富む画分を、流れ１９０によってデカンター１８０から取り去り、さらなる分離のために第２塔１１０に供給する。第２のＨＦに富む画分を、流れ２００によってデカンター１８０から取り去り、さらなる分離のために第３塔２１０に供給する。
【０１６６】
　表９のデータは、測定および計算された熱力学的特性を用いる計算によって得た。
【０１６７】
【表９】
　　　　　　　　　　　　　　　　　　　　　　　　　　　　　　　　　」
（甲１ｆ）「
　　　　　　　　　　　　　　　　　　　　　　　　　　　　　　　　　」
３　当審の判断
（１）甲１に記載された発明
ア　甲１は、フルオロオレフィンからのフッ化水素（以下、「ＨＦ」ともいう。）の分離方法に関する技術を開示するものである（上記（甲１ａ））。
　そして、甲１には、フルオロオレフィンを化学的に生成する際に、所望のフルオロオレフィンとＨＦとの混合物が生成されることがあるが、これらの分離は容易ではなく、新規な分離方法が必要とされていることが記載されており（上記（甲１ａ））、その分離方法の具体例の一つとして、実施例９に、ＨＦＣ−２４５ｅｂを気相脱フッ化水素して、ＨＦＣ−１２３４ｙｆ及びＥ−ＨＦＣ−１２３４ｚｅを同時に生産し、分離することに関する事項が記載されている（上記（甲１ｅ））。
イ　そして、実施例９について、特に、図６（上記（甲１ｂ）、（甲１ｄ）、（甲１ｆ））及び表９（上記（甲１ｅ）【０１６６】〜【０１６７】）の記載から、次のことが理解できる。
　脱フッ化水素反応器からの未反応のＨＦＣ−２４５ｅｂ、ＨＦ、ＨＦＣ−１２３４ｙｆ及びＥ−ＨＦＣ−１２３４ｚｅを含む流れ１０を第１蒸留塔２０に供給し、ＨＦＣ−２４５ｅｂの本質的に全て、Ｅ−ＨＦＣ−１２３４ｚｅのほとんど、及び比較的少量のＨＦＣ−１２３４ｙｆを、第１蒸留塔２０のボトムからの流れ３０として取り去り、ＨＦの本質的に全て、ＨＦＣ−１２３４ｙｆの大部分、及び変動する量のＥ−ＨＦＣ−１２３４ｚｅを第１蒸留塔２０のトップからの流れ４０として取り去る。
　流れ４０を、凝縮器５０で凝縮させ、冷却器６０で冷却し、第１デカンター７０に供給し、第１デカンター７０で、ＨＦに富む相とフルオロオレフィン（ＨＦＣ−１２３４ｙｆ及びＥ−ＨＦＣ−１２３４ｚｅ）に富む相との相画分を形成し、ＨＦに富む相画分を流れ８０とし、フルオロオレフィン（ＨＦＣ−１２３４ｙｆ及びＥ−ＨＦＣ−１２３４ｚｅ）に富む相画分を流れ９０として取り去る。
ウ　ここで、実施例９における各流れに関する表９によると、第１デカンター７０で分離される流れ８０及び流れ９０は、いずれも、ＨＦ、ＨＦＣ−１２３４ｙｆ及び少量のＥ−ＨＦＣ−１２３４ｚｅを含んでいること、実施例９全体の記載からみて第１デカンター７０へ供給される流れ及び分離される流れのいずれにも他の物質の出入りはないことから、第１デカンター７０へ供給される流れ４０にも、ＨＦ、ＨＦＣ−１２３４ｙｆ及び少量のＥ−ＨＦＣ−１２３４ｚｅが含まれているといえる。
エ　よって、甲１には、実施例９の流れ４０からみて、次の甲１発明が記載されているものと認められる。
甲１発明：
「ＨＦ、ＨＦＣ−１２３４ｙｆ、Ｅ−ＨＦＣ−１２３４ｚｅを含む組成物。」
（２）本件特許発明１について
ア　対比
　本件特許発明１と甲１発明とを対比する。
　甲１発明の「Ｅ−ＨＦＣ−１２３４ｚｅ」は、上記（甲１ｃ）に記載されているとおり「１，３，３，３−テトラフルオロプロペン」のＥ異性体である。
　一方、本件特許発明１の「１，３，３，３−テトラフルオロプロペン」について、本件特許明細書【００１４】に「化合物１，３，３，３−テトラフルオロプロペンは、化合物Ｅ−１，３，３，３−テトラフルオロプロペン又は化合物Ｚ−１，３，３，３−テトラフルオロプロペンの何れかを含むか、或いは化合物Ｅ−１，３，３，３−テトラフルオロプロペンと化合物Ｚ−１，３，３，３−テトラフルオロプロペンとの混合物を含む。」と記載されているから、甲１発明の「Ｅ−ＨＦＣ−１２３４ｚｅ」は、本件特許発明１の「１，３，３，３−テトラフルオロプロペン」に相当するといえる。
　以上のことから、両発明は、次の一致点及び相違点１−１〜１−２を有する。
一致点：
　「フッ化水素、１，３，３，３−テトラフルオロプロペンを含む組成物。」である点。
相違点１−１：
　「組成物」について、本件特許発明１は「１，１，１，２，２−ペンタフルオロプロパン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物」を含むと特定しているのに対し、甲１発明は「ＨＦＣ−１２３４ｙｆ」を含むと特定している点。
相違点１−２：
　「組成物」について、本件特許発明１は「不均一共沸又は不均一共沸様である、共沸又は共沸様組成物」であると特定しているのに対し、甲１発明は不明な点。
イ　判断
　相違点１−１について検討する。
　甲１発明の「ＨＦＣ−１２３４ｙｆ」は、前記（甲１ｃ）に記載されているとおり「２，３，３，３−テトラフルオロプロペン」であるところ、この化合物は本件特許発明１の「・・・から選択される１から３個の炭素原子を含む一又は複数の（ヒドロ）ハロカーボン化合物」のいずれとも異なる化合物である。
　また、甲１全体の記載を参酌しても、甲１には、ＨＦとＥ−ＨＦＣ−１２３４ｚｅを含むとともに、相違点１−１に係る本件特許発明１の化合物を含む組成物は記載も示唆もされていない。
　したがって、両発明は、組成物を構成する成分が異なっているから、相違点１−１は実質的な相違点である。
　よって、相違点１−２について検討するまでもなく、本件特許発明１は、甲１に記載された発明でない。
（３）本件特許発明２〜３及び本件特許発明１〜３を引用する本件特許発明１０〜１２について
　本件特許発明２〜３及び本件特許発明１〜３を引用する本件特許発明１０〜１２はいずれも本件特許発明１の発明特定事項をさらに限定するものである。
　したがって、本件特許発明１が甲１に記載された発明でない以上、本件特許発明２〜３及び本件特許発明１〜３を引用する本件特許発明１０〜１２も同様に甲１に記載された発明でない。
　なお、訂正前の請求項９は、本件訂正により削除された。
（４）まとめ
　以上のとおりであるから、本件特許発明１〜３及び本件特許発明１〜３を引用する本件特許発明１０〜１２に係る特許は、特許法第２９条第１項の規定に違反してされたものではなく、同法第１１３条第２号により取り消すべきものではない。
４　小括
　よって、取消理由通知に記載した取消理由には理由がない。
第５　取消理由通知において採用しなかった特許異議申立理由について
１　申立理由の概要
　訂正前の請求項１〜１２に係る特許に対して、申立人が主張した特許異議申立理由の要旨は、次のとおりである。
申立理由（新規性）
　本件特許の請求項１〜１２に係る発明は、本件特許の出願に係る優先日前に日本国内又は外国において、頒布された甲１、甲２又は甲３に記載された発明であって、特許法第２９条第１項第３号に該当し、特許法第２９条第１項の規定に違反してされたものであるから、同法第１１３条第２号に該当し、取り消すべきものである。
２　甲号証の記載
（１）甲１の記載は、前記第４　２のとおりである。
（２）甲２（米国特許出願公開第２０１０／００７２４１５号明細書）には、次の記載がある。なお、甲２は英文のため翻訳文で示す。
（甲２ａ）「フルオロプロパン及びハロプロペンの製造方法、並びに、２−クロロ−３，３，３−トリフルオロ−１−プロペンとＨＦ及び１，１，１，２，２−ペンタフルオロプロパンとＨＦの共沸組成物」（１頁左欄１〜６行「発明の名称」）
（甲２ｂ）「［０００１］本発明は、１，１，１，２，２−ペンタフルオロプロパン、２，３，３，３−テトラフルオロ−１−プロペン、１，１，１，３，３−ペンタフルオロプロパン、１，３，３，３−テトラフルオロ−１−プロペン、２−クロロ−３，３，３−トリフルオロ−１−プロペン、及び／又は、１−クロロ−３，３，３−トリフルオロ−１−プロペンの製造方法に関する。」
（甲２ｃ）「［００５５］本発明の一実施形態では、生成物混合物は、ＨＦＣ−２４５ｃｂ、ＨＦＣ−２４５ｆａ、ＨＦＣ−１２３４ｙｆ、ＨＦＣ−１２３４ｚｅ、ＨＣＦＣ−１２３３ｚｄ及びＨＣＦＣ−１２３３ｘｆを含む。
［００５６］本発明の方法によって製造される生成物混合物が（ｉ）生成物化合物ＨＦＣ−２４５ｃｂ、ＨＦＣ−２４５ｆａ、ＨＦＣ−１２３４ｙｆ、ＨＦＣ−１２３４ｚｅ、ＨＣＦＣ−１２３３ｚｄ及びＨＣＦＣ−１２３３ｘｆ、（ｉｉ）ＨＦ及びＨＣｌ、（ｉｉｉ）副生成物及び（ｉｖ）未反応出発物質を含む場合、分離ステップ（ａ）〜（ｅ）はそのような生成物混合物から生成物化合物を回収するために行ってもよい。
［００５７］分離ステップ（ａ）で、生成物混合物を蒸留カラムに送って生成物混合物からＨＣｌを分離することができる。
［００５８］分離ステップ（ｂ）で、分離ステップ（ａ）からの生成物混合物を１つ以上の蒸留カラムに送って、ＨＦＣ−１２３４ｙｆとＨＦの共沸組成物を残りの生成物混合物から分離する。回収されたＨＦＣ−１２３４ｙｆとＨＦの共沸組成物は、参照により本明細書に組み込まれる米国特許出願公開第２００６／０１０６２６３号（Ａ１）に記載されているのと同様の手順を使用することによって個々の成分にさらに分離することができる。
［００５９］分離ステップ（ｃ）で、分離ステップ（ｂ）からの生成物混合物を１つ以上の蒸留カラムに送って、そこで、ＨＦ、ＨＦＣ−２４５ｃｂ、ＨＦＣ−１２３４ｚｅ、ＨＣＦＣ−１２３３ｘｆ、ＨＣＦＣ−１２３３ｚｄ及びＨＦＣ−２４５ｆａを蒸留カラムの頂部から回収し、ＣＦ３ＣＨＣｌＣＨ２Ｃｌ、ＣＦ３ＣＨＣｌＣＨ２Ｆのような高沸点出発物質を蒸留カラムの底部から除去する。ＣＦ３ＣＨＣｌＣＨ２Ｃｌ及びＣＦ３ＣＨＣｌＣＨ２Ｆは、他の副生成物及び未反応出発物質から、例えば蒸留によってさらに分離することができ、気相フッ素化反応器にリサイクルして戻される。
［００６０］分離ステップ（ｄ）で、分離ステップ（ｃ）で蒸留カラムの頂部から回収されるＨＦ、ＨＦＣ−２４５ｃｂ、ＨＦＣ−１２３４ｚｅ、ＨＣＦＣ−１２３３ｘｆ、ＨＣＦＣ−１２３３ｚｄ及びＨＦＣ−２４５ｆａを含む生成物混合物を１つ以上の蒸留カラムに送って、蒸留カラムの頂部からＨＦＣ−２４５ｃｂ／ＨＦの共沸組成物及びＨＦＣ−１２３４ｚｅ／ＨＦの共沸組成物を回収する。次いで、回収されたＨＦＣ−２４５ｃｂ／ＨＦ及びＨＦＣ−１２３４ｚｅ／ＨＦの共沸組成物は、米国特許出願公開第２００６／０１０６２６３号明細書に記載されているのと同様の手順を使用することによって個々の成分にさらに分離され得る。
［００６１］また、分離ステップ（ｄ）の別の実施態様では、分離ステップ（ｃ）で蒸留カラムの頂部から回収されるＨＦ、ＨＦＣ−２４５ｃｂ、ＨＦＣ−１２３４ｚｅ、ＨＣＦＣ−１２３３ｘｆ、ＨＣＦＣ−１２３３ｚｄ及びＨＦＣ−２４５ｆａを含む生成物混合物は、気相フッ素化反応器の反応ゾーンにリサイクルして戻される。
［００６２］分離ステップ（ｅ）で、分離ステップ（ｄ）で蒸留カラムの底部から回収されるＨＣＦＣ−１２３３ｘｆ、ＨＣＦＣ−１２３３ｚｄ及びＨＦＣ−２４５ｆａを含む生成物混合物、並びに任意のＨＦを蒸留カラムに送って、ＨＣＦＣ−１２３３ｘｆ、ＨＣＦＣ−１２３３ｚｄ及びＨＦＣ−２４５ｆａを分離することができる。ＨＣＦＣ−１２３３ｘｆをフッ素化して、ＨＦＣ−２４５ｃｂ及びＨＦＣ−１２３４ｙｆの少なくとも一方を製造することができる。ＨＣＦＣ−１２３３ｚｄをフッ素化して、ＨＦＣ−２４５ｆａ及びＨＦＣ−１２３４ｚｅの少なくとも一方を製造することができる。
［００６３］分離ステップ（ｅ）でＨＣＦＣ−１２３３ｘｆを単離すると、ＨＣＦＣ−１２３３ｘｆがＨＦと共沸混合物を形成することが観察される。
［００６４］上記に述べたように、本発明のある実施形態では、本発明の方法に従って製造されたＨＦ、ＨＦＣ−２４５ｃｂ及びＨＦＣ−１２３４ｚｅの混合物は、液相フッ素化反応器中で、場合により液相フッ素化触媒存在下で追加のＨＦと接触させて、ＨＦ、ＨＦＣ−２４５ｃｂ及びＨＦＣ−２４５ｆａの混合物を製造させられる。」
（甲２ｄ）「［００７３］当技術分野で認識されているように、共沸組成物は、所定の圧力下で液体形態である実質的に一定の温度で沸騰する２つ以上の異なる成分の混合物であり、その温度は、個々の成分の沸点よりも高くても低くても良く、沸騰する液体組成物と本質的に同一の蒸気組成物を提供する。
［００７４］したがって、共沸組成物の本質的な特徴は、所定の圧力で液体組成物の沸点が固定され、沸騰組成物より上の蒸気の組成が本質的に沸騰液体組成物の組成であることである。（すなわち、液体組成物の成分の分別は行われない。）共沸組成物を異なる圧力で沸騰させると、共沸組成物の各成分の沸点及び重量％の両方が変化し得ることも当技術分野において認識されている。したがって、共沸組成物は、特定の圧力での固定沸点を特徴とする、成分間に存在する固有の関係に関して、又は成分の組成範囲に関して、或いは組成物の各成分の正確な重量％に関して定義することができる。様々な共沸組成物（特定の圧力でのそれらの沸点を含む）を計算できることも当該分野で認識されている（例えば、Ｗ．Ｓｃｈｏｔｔｅ　Ｉｎｄ．Ｅｎｇ．Ｃｈｅｍ．Ｐｒｏｃｅｓｓ　Ｄｅｓ．Ｄｅｖ．（１９８０）１９，４３２〜４３９を参照）。同じ成分を含む共沸組成物の実験的同定は、そのような計算の正確さを確認するために及び／又は同じ又は他の温度及び圧力で計算を修正するために使用され得る。」
（甲２ｅ）「実施例
９８％クロム／２％コバルト触媒の調製
［００８６］・・・
製品分析の一般手順
［００８７］・・・
実施例１−５
ＣＦ３ＣＨＣｌＣＨ２Ｃｌのフッ素化
［００８８］上記で調製した９８％クロム／２％コバルト触媒（２１．４ｇ、１５ｍＬ、−１２〜＋２０メッシュ、（１．６８〜０．８４ｍｍ））を直径５／８インチ（１．５８ｃｍ）の流動砂浴で加熱したＩｎｃｏｎｅｌ（商標）ニッケル合金反応器に入れた。以下のように、触媒をＨＦで処理することによって予備フッ素化した。触媒を窒素流（５０ｃｃ／分）で約１．５時間かけて４５℃から１７５℃に加熱した。次いで、ＨＦを、１７５℃の温度で１．３時間、５０ｃｃ／分の流速で反応器に入れた。反応器の窒素流を２０ｃｃ／分に減少させ、ＨＦ流を８０ｃｃ／分に増加させた。この流れを０．３時間維持した。その後、反応器の温度を１時間かけて徐々に４００℃に上げた。この期間の後、ＨＦと窒素の流れを止め、反応器を所望の運転温度にした。次いで、ＨＦ蒸気及びＣＦ３ＣＨＣｌＣＨ２Ｃｌの流れを、反応器を通して開始した。反応器流出物の一部をオンラインＧＣ／ＭＳによって分析した。
［００８９］様々な操作温度での９８／２　Ｃｒ／Ｃｏ触媒上でのＣＦ３ＣＨＣｌＣＨ２Ｃｌのフッ素化の結果、及びＨＦとＣＦ３ＣＨＣｌＣＨ２Ｃｌとの指定モル比を表１に示す。分析データは、ＧＣ面積％の単位で提供される。公称触媒床容積は１５ｃｃ、接触時間（ＣＴ）は１５秒であった。実施例１は触媒の非存在下で実施した。
　　　　　　　　　　　　　　　　　　　　　　　　　　　　　　　　　」
（甲２ｆ）「１６．ＣＦ３ＣＨ２ＣＨＦ２、ＣＦ３ＣＨ＝ＣＨＦ及びＣＦ３ＣＨ＝ＣＨＣｌからなる群から選択される少なくとも１種の生成物化合物の製造方法であって、
　式ＣＸ３ＣＨＣｌＣＨ２Ｘのハロプロパン、式ＣＸ３ＣＣｌ＝ＣＨ２のハロプロペン及び式ＣＸ２＝ＣＣｌＣＨ２Ｘのハロプロペン（ここで各Ｘは独立してＦ及びＣｌからなる群から選択される）からなる群から選択される少なくとも１種の出発材料を、場合によりフッ素化触媒の存在下でＨＦを含む反応帯域で反応させて、ＨＦ、ＨＣｌ、ＣＦ３ＣＨ２ＣＨＦ２、ＣＦ３ＣＨ＝ＣＨＦ及びＣＦ３ＣＨ＝ＣＨＣｌを含む生成物混合物を生成させ、ここで反応帯域に供給される出発材料の総量に対するＨＦのモル比は少なくとも化学量論的であり、そして、
　生成物混合物から前記少なくとも１つの生成物化合物を回収することを含む方法。
　・・・
３１．以下を含む組成物。
（ａ）ＣＦ３ＣＣｌ＝ＣＨ２、及び
（ｂ）ＨＦ、ここで、ＨＦはＣＦ３ＣＣｌ＝ＣＨ２と共沸混合物を形成するのに有効な量で存在する。
３２．以下を含む組成物。
（ａ）ＣＦ３ＣＦ２ＣＨ３、及び
（ｂ）ＨＦ、ここで、ＨＦはＣＦ３ＣＦ２ＣＨ３と共沸混合物を形成するのに有効な量で存在する。」（８頁右欄３４行〜９頁右欄最終行）
（３）甲３（特開２０１２−８２１８９号公報）には、次の記載がある。
（甲３ａ）「【請求項１】
少なくとも水を含む気体状態のヒドロフルオロカーボンまたはヒドロクロロフルオロカーボンを熱交換器で冷却し、ヒドロフルオロカーボンまたはヒドロクロロフルオロカーボンを凝縮させ液化し、且つ前記水を氷結凝固させることを含む、ヒドロフルオロカーボンまたはヒドロクロロフルオロカーボンの脱水方法。
　・・・
【請求項４】
ヒドロフルオロカーボンが１，３，３，３−テトラフルオロプロペンであることを特徴とする、請求項１及至請求項３のいずれか１項に記載の脱水方法。
【請求項５】
少なくとも水を含む気体状態の１，３，３，３−テトラフルオロプロペンが、１−クロロ−３，３，３−トリフルオロプロペンをフッ化水素によりフッ素化し水洗されてなる１，３，３，３−テトラフルオロプロペンであり、不純物を含むことを特徴とする、請求項４に記載の脱水方法。
【請求項６】
不純物として、少なくとも１−クロロ−３，３，３−トリフルオロプロペンのシス体、トランス体またはその混合物を含む、請求項５に記載の脱水方法。
　・・・
【請求項１０】
請求項１及至請求項９のいずれか１項に記載の脱水方法により１，３，３，３−テトラフルオロプロペンを脱水する脱水工程と、脱水された、不純物を含む１，３，３，３−テトラフルオロプロペンを蒸留精製する蒸留精製工程を含む、１，３，３，３−テトラフルオロプロペンの製造方法。
【請求項１１】
１−クロロ−３，３，３−トリフルオロプロペンをフッ化水素によりフッ素化し、未反応の１−クロロ−３，３，３−トリフルオロプロペン、フッ化水素、塩化水素および副生成物を含む１，３，３，３−テトラフルオロプロペンの混合物を得る合成工程と、混合物のフッ化水素および塩化水素を除去する酸除去工程と、をさらに含む、請求項１０に記載の製造方法。
　・・・
【請求項１３】
酸除去工程が、合成工程で得られた混合物を、硫酸、水または塩基性水溶液と接触させフッ化水素を除去する工程であることを特徴とする、請求項１１または請求項１２に記載の製造方法。」
（甲３ｂ）「【００１０】
　通常、１，３，３，３−テトラフルオロプロペンの合成方法において、反応工程から取り出された反応物は、１，３，３，３−テトラフルオロプロペン、原料化合物および副生等の不純物に加え、上述のように酸性成分を含むので、水洗浄、塩基性水溶液で洗浄し、酸性成分を除去するための水洗を行う酸除去工程が必要となる。また、フッ酸を含有する場合は、濃硫酸等と接触させることで、濃硫酸等に吸収させることが好ましい。
　・・・
【００１２】
　蒸留工程において、粗１，３，３，３−テトラフルオロプロペンが水を含むと、不純物を除去し難いばかりか、水と１，３，３，３−テトラフルオロプロペンが共沸し、１，３，３，３−テトラフルオロプロペンに水が混入したままとなる。・・・そのためには、酸除去工程の後、且つ蒸留工程の前に、言い換えれば、酸除去工程と蒸留工程の間に脱水工程を設けることが好ましい。・・・
　・・・
【００１８】
　本発明は、大掛かりな装置を必要とせず、簡便な装置を用いることが可能あり、プラントにおける工業的商業生産に用いるのに好適な、ヒドロフルオロカーボンまたはヒドロクロロフルオロカーボンの脱水方法を提供することを目的とする。・・・」
（甲３ｃ）「【０１０９】
［実施例２］
（１，３，３，３−テトラフルオロプロペンの合成）
　リボンヒーターにより加熱ができる、内径２３ｍｍ、長さ３００ｍｍのステンレス鋼（ＳＵＳ−３１６）製管型反応器を用意した。前記管型反応器に、触媒としてのクロム担持アルミナを５０ｍｌ充填し、２００℃おいて、フッ化水素を０．２ｇ／ｍｉｎの供給速度で供給した。この後、フッ化水素を供給しながら、５０℃ずつ段階的に温度を上昇させて、最終的に４００℃まで昇温した。２００℃〜４００℃の温度範囲において、合計８時間かけてフッ化水素による触媒の活性化を行った。
【０１１０】
　管型反応器内の温度が３４０℃になるように加熱した後、トランス−１−クロロ−３，３，３−トリフルオロプロペンを０．１６ｇ／ｍｉｎの速度で管型反応器内に連続供給し、フッ化水素を０．２４ｇ／ｍｉｎの速度で管型反応器内に連続導入し、トランス−１−クロロ−３，３，３−トリフルオロプロペンをフッ化水素によりフッ素化し１，３，３，３−テトラフルオロプロペンを得る反応を１０時間継続した。
【０１１１】
　反応後のガスを、酸吸収用の水の入ったトラップにバブリングさせ、未反応のフッ化水素および塩化水素を吸収除去した後に、ガスクロマトグラフィーにて組成分析を行ったところ表２の結果を得た。組成分析の結果、反応後のガス中の未反応のトランス−１−クロロ−３，３，３−トリフルオロプロペンの含有率は４０．４質量％、シス−１−クロロ−３，３，３−トリフルオロプロペンの含有率は５．６質量％、合成されたトランス−１，３，３，３−テトラフルオロプロペンの含有率は３３．０質量％、シス−１，３，３，３−テトラフルオロプロペンは８．０質量％、その他０．３質量％であった。
【表２】
　　　　　　　　　　　　　　　　　　　　　　　　　　　　　　　　　」
３　当審の判断
（１）甲１を主引用例とする本件特許発明の新規性について
ア　甲１に記載された発明
　前記第４　３（１）で認定した、次のとおりのものである。
甲１発明：
「ＨＦ、ＨＦＣ−１２３４ｙｆ、Ｅ−ＨＦＣ−１２３４ｚｅを含む組成物。」
イ　本件特許発明１〜３及び本件特許発明１〜３を引用する本件特許発明１０〜１２について
　前記第４　３（２）及び（３）のとおりである。
ウ　本件特許発明４について
（ア）対比
　本件特許発明４と甲１発明とを対比する。
　甲１発明の「Ｅ−ＨＦＣ−１２３４ｚｅ」は、前記（甲１ｃ）に記載されているとおり「１，３，３，３−テトラフルオロプロペン」のＥ異性体である。
　一方、本件特許発明４の「１，３，３，３−テトラフルオロプロペン」について、本件特許明細書【００１４】に「化合物１，３，３，３−テトラフルオロプロペンは、化合物Ｅ−１，３，３，３−テトラフルオロプロペン又は化合物Ｚ−１，３，３，３−テトラフルオロプロペンの何れかを含むか、或いは化合物Ｅ−１，３，３，３−テトラフルオロプロペンと化合物Ｚ−１，３，３，３−テトラフルオロプロペンとの混合物を含む。」と記載されているから、甲１発明の「Ｅ−ＨＦＣ−１２３４ｚｅ」と、本件特許発明４の「１，３，３，３−テトラフルオロプロペン」かつ「１，３，３，３−テトラフルオロプロペンがＺ−１，３，３，３−テトラフルオロプロペンである」とは、「１，３，３，３−テトラフルオロプロペン」である点で共通する。
　甲１発明の「ＨＦＣ−１２３４ｙｆ」は、前記（甲１ｃ）に記載されているとおり「２，３，３，３−テトラフルオロプロペン」である。
　そして、本件特許発明４は、「フッ化水素」及び「１，３，３，３−テトラフルオロプロペン」とともに、「２，３，３，３−テトラフルオロプロペン」を含む９種類の（ヒドロ）ハロカーボン化合物から選択される少なくとも一の化合物を含んでいればよいものである。
　以上のことから、両発明は、次の一致点及び相違点１−３〜１−４を有する。
一致点：
　「フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含む、組成物。」である点。
相違点１−３：
　「１，３，３，３−テトラフルオロプロペン」について、本件特許発明４は「Ｚ−１，３，３，３−テトラフルオロプロペン」と特定しているのに対し、甲１発明は「Ｅ−ＨＦＣ−１２３４ｚｅ」（Ｅ−１，３，３，３−テトラフルオロプロペン）である点。
相違点１−４：
　「組成物」について、本件特許発明４は「不均一共沸又は不均一共沸様である、共沸又は共沸様組成物」であると特定しているのに対し、甲１発明は不明な点。
（イ）判断
　相違点１−３について検討する。
　本件特許発明４の「Ｚ−１，３，３，３−テトラフルオロプロペン」と、甲１発明の「Ｅ−ＨＦＣ−１２３４ｚｅ」（Ｅ−１，３，３，３−テトラフルオロプロペン）とは、同じ分子式で表されるが、二重結合に対する置換基の結合位置が違う異なる化合物である。
　また、甲１全体の記載を参酌しても、甲１には「Ｚ−１，３，３，３−テトラフルオロプロペン」を含む組成物は記載も示唆もされていない。
　したがって、両発明は、組成物を構成する成分が異なっているから、相違点１−３は実質的な相違点である。
　よって、相違点１−４について検討するまでもなく、本件特許発明４は、甲１に記載された発明でない。
エ　本件特許発明５について
（ア）対比
　本件特許発明５と甲１発明とを対比する。
　前記第４　３（２）アと同様の理由により、甲１発明の「Ｅ−ＨＦＣ−１２３４ｚｅ」は、本件特許発明５の「１，３，３，３−テトラフルオロプロペン」に相当するといえる。
　また、甲１発明の「ＨＦＣ−１２３４ｙｆ」は、前記（甲１ｃ）に記載されているとおり「２，３，３，３−テトラフルオロプロペン」である。
　本件特許発明５は、「フッ化水素」及び「１，３，３，３−テトラフルオロプロペン」とともに、「２，３，３，３−テトラフルオロプロペン」を含む９種類の（ヒドロ）ハロカーボン化合物から選択される少なくとも一の化合物を必ず含んでおり、かつ、「３，３，３−トリフルオロ−２−クロロプロペン」を必ず含むものである。
　以上のことから、両発明は、次の一致点及び相違点１−５〜１−６を有する。
一致点：
　「フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，　１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　かつ、フッ化水素と、１，３，３，３−テトラフルオロプロペンと、任意選択的に、Ｅ−３，３，３−トリフルオロ−１−クロロプロペン、３，３，３−トリフルオロプロペン、１，１，１，２，２−ペンタフルオロプロパン及び２，３，３，３−テトラフルオロプロペンから選択される一又は複数の有機化合物とを含む、組成物。」である点。
相違点１−５：
　「組成物」について、本件特許発明５は「３，３，３−トリフルオロ−２−クロロプロペン」を含むと特定しているのに対し、甲１発明はこれを含まない点。
相違点１−６：
　「組成物」について、本件特許発明５は「不均一共沸又は不均一共沸様である、共沸又は共沸様組成物」であると特定しているのに対し、甲１発明は不明な点。
（イ）判断
　相違点１−５について検討するに、甲１発明は、本件特許発明５の組成物が含む「３，３，３−トリフルオロ−２−クロロプロペン」を含まないのであるから、両発明は、組成物を構成する成分が異なっており、相違点１−５は実質的な相違点である。
　また、甲１全体の記載を参酌しても、甲１には、ＨＦとＥ−ＨＦＣ−１２３４ｚｅを含むとともに、「３，３，３−トリフルオロ−２−クロロプロペン」を含む組成物は記載も示唆もされていない。
　よって、相違点１−６について検討するまでもなく、本件特許発明５は、甲１に記載された発明でない。
オ　本件特許発明６〜８について
（ア）対比
　本件特許発明６〜８は、いずれも本件特許発明５と「フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物」を含む組成物である点で一致し、それぞれ順に、ｓらに、「Ｅ−３，３，３−トリフルオロ−１−クロロプロペン」、「３，３，３−トリフルオロプロペン」又は「１，１，１，２，２−ペンタフルオロプロパン」を必ず含むものである。
　したがって、本件特許発明６〜８と甲１発明とは、いずれも上記エ（ア）で検討した一致点及び相違点１−６と同様の一致点及び相違点を有するとともに、それぞれ、次の相違点１−７〜１−９を有する。
相違点１−７：
　「組成物」について、本件特許発明６は「Ｅ−３，３，３−トリフルオロ−１−クロロプロペン」を含むと特定しているのに対し、甲１発明はこれを含まない点。
相違点１−８：
　「組成物」について、本件特許発明７は「３，３，３−トリフルオロプロペン」を含むと特定しているのに対し、甲１発明はこれを含まない点。
相違点１−９：
　「組成物」について、本件特許発明８は「１，１，１，２，２−ペンタフルオロプロパン」を含むと特定しているのに対し、甲１発明はこれを含まない点。
（イ）判断
　相違点１−７〜１−９について検討するに、甲１発明は、本件特許発明６〜８の組成物がそれぞれ含む「Ｅ−３，３，３−トリフルオロ−１−クロロプロペン」、「３，３，３−トリフルオロプロペン」及び「１，１，１，２，２−ペンタフルオロプロパン」のいずれも含まない。
　また、甲１全体の記載を参酌しても、甲１には、ＨＦとＥ−ＨＦＣ−１２３４ｚｅを含むとともに、「Ｅ−３，３，３−トリフルオロ−１−クロロプロペン」、「３，３，３−トリフルオロプロペン」及び「１，１，１，２，２−ペンタフルオロプロパン」のいずれかを含む組成物は記載も示唆もされていない。
　したがって、本件特許発明６〜８と甲１発明とは、いずれも組成物を構成する成分が異なっており、相違点１−７〜１〜９は実質的な相違点である。
　よって、その余の相違点について検討するまでもなく、本件特許発明６〜８は、甲１に記載された発明でない。
カ　本件特許発明４〜８を引用する本件特許発明１０〜１２について
　本件特許発明１０〜１２はいずれも本件特許発明４〜８の発明特定事項をさらに限定するものである。
　したがって、本件特許発明４〜８が甲１に記載された発明でない以上、本件特許発明１０〜１２も同様に甲１に記載された発明でない。
　なお、訂正前の請求項９は、本件訂正により削除された。
キ　まとめ
　以上のとおりであるから、本件特許発明１〜８、１０〜１２に係る特許は、特許法第２９条第１項の規定に違反してされたものではなく、同法第１１３条第２号により取り消すべきものではない。
（２）甲２を主引例とする本件特許発明の新規性について
ア　甲２に記載された発明
　甲２は、フルオロプロパン及びハロプロペンの製造方法、並びに、２−クロロ−３，３，３−トリフルオロ−１−プロペンとＨＦ及び１，１，１，２，２−ペンタフルオロプロパンとＨＦの共沸組成物に関する技術を開示するものである（上記（甲２ａ）、（甲２ｂ））。
　そして、実施例１−５で、ＣＦ３ＣＨＣｌＣＨ２Ｃｌ（２４３ｄｂ）のフッ素化を、異なる温度及び異なるＨＦ／２４３ｄｂのモル比で実施し、反応器からの流出物をＧＣ／ＭＳで分析した結果が表１に示されている（上記（甲２ｅ））。
　表１には、流出物中のＨＦについて記載されていないが、流出物にＨＦが含まれることは甲２の上記（甲２ｃ）及び上記（甲２ｆ）の請求項１６から理解できる。
　よって、甲２には、表１の実施例３〜５からみて、次の甲２発明が記載されているものと認められる。
甲２発明：
「ＨＦ、１２３４ｙｆ、２４５ｃｂ、１２３３ｘｆ、１２３３ｚｄ、１２３４ｚｅ及び２４５ｆａを含む組成物。」
イ　本件特許発明１について
（ア）対比
　本件特許発明１と甲２発明とを対比する。
　上記（甲２ｅ）の凡例からみて、甲２発明の「１２３４ｚｅ」は、本件特許発明１の「１，３，３，３−テトラフルオロプロペン」に相当する。
　また、甲２発明の「２４５ｃｂ」及び「１２３３ｘｆ」は、それぞれ、本件特許発明１の「１，１，１，２，２−ペンタフルオロプロパン」及び「３，３，３−トリフルオロ−２−クロロプロペン」に相当する。
　そして、甲２発明の「１２３３ｚｄ」はＥ体とＺ体の混合物といえるから、そのうちのＥ体は、本件特許発明１の「Ｅ−３，３，３−トリフルオロ−１−クロロプロペン」に相当する。
　本件特許発明１は、「フッ化水素」及び「１，３，３，３−テトラフルオロプロペン」とともに、「１，１，１，２，２−ペンタフルオロプロパン」、「３，３，３−トリフルオロ−２−クロロプロペン」及び「Ｅ−３，３，３−トリフルオロ−１−クロロプロペン」を含む８種類の（ヒドロ）ハロカーボン化合物から選択される少なくとも一の化合物を含んでいればよく、他の（ヒドロ）ハロカーボン化合物が含まれることを排除していない。
　以上のことから、両発明は、次の一致点及び相違点２−１を有する。
一致点：
　「フッ化水素、１，３，３，３−テトラフルオロプロペン、及び１，１，１，２，２−ペンタフルオロプロパン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含む、組成物。」である点。
相違点２−１：
　「組成物」について、本件特許発明１は「不均一共沸又は不均一共沸様である、共沸又は共沸様組成物」であると特定しているのに対し、甲２発明は不明な点。
（イ）判断
　相違点２−１について検討する。
ａ　本件特許発明１の「不均一共沸又は不均一共沸様である、共沸又は共沸様組成物」について、本件特許明細書【０００７】〜【０００８】に「不均一共沸混合物又は不均一共沸様混合物は、凝縮液体が、例えばデカンテーションによって容易に分離され得る二の非混和性溶液を形成する、共沸又は共沸様混合物である。この特性は、ＨＦの回収にとってかなりの利点である。『共沸様（ｑｕａｓｉ−ａｚｅｏｔｒｏｐｉｃ）』又は『不均一共沸様（ｑｕａｓｉ−ｈｅｔｅｒｏａｚｅｏｔｒｏｐｉｃ）』という用語は、広い意味を有し、厳密に共沸又は厳密には不均一共沸である組成物、及び共沸混合物又は不均一共沸混合物のように働く組成物を含むことが意図される。」と記載されている。
　また、同【００３６】〜【００３７】に「本出願人は、本発明の組成物が、特に反応工程におけるＨＦの再利用にとって有利な特性を有することを見出した。したがって、本発明の組成物の凝縮相は、場合によって組成物が蒸留工程及び／又は（例えばデカンテーションによる）液体／液体分離工程に供される場合、二の非混和性液相を形成する。例として、フッ化水素、１，３，３，３−テトラフルオロプロペン、並びに、１，１，１，２，２−ペンタフルオロプロパン、２，３，３，３−テトラフルオロプロペン、３，３，３−トリフルオロプロペン、３，３，３−トリフルオロ−２−クロロプロペン及びＥ−３，３，３−トリフルオロ−１−クロロプロペンから選択される化合物を含有する三元化合物について、二の液相（一方はＨＦに富み、他方はＨＦが枯渇した相）によって特徴付けられる不均一共沸混合物の外観は、組成物中のＨＦの量に依存する。」と記載されている。
　これらの記載から、本件特許発明１の「不均一共沸又は不均一共沸様である、共沸又は共沸様組成物」とは、共沸蒸留後の凝集液体が、例えばＨＦに富む相とＨＦが枯渇した相にデカンテーションなどによって容易に分離され得る二の非混和性液相を形成するかそのように働く組成物であるといえる。
ｂ　甲２には、共沸組成物についての説明が記載されているが（上記（甲２ｄ））、不均一共沸についての記載はない。
　甲２には、「フッ化水素とＨＦＣ−２４５ｃｂ（１，１，１，２，２−ペンタフルオロプロパン）」、「フッ化水素とＨＦＣ−１２３４ｚｅ（１，３，３，３−テトラフルオロプロペン）」又は「フッ化水素とＨＣＦＣ−１２３３ｘｆ（３，３，３−トリフルオロ−２−クロロプロペン）」の２成分からなる共沸混合物が記載されているに留まり（上記（甲２ｃ）の［００６０］、［００６３］、上記（甲２ｆ）の請求項３１及び３２）、これらであっても不均一共沸又は不均一共沸様であることが理解できる記載はなく、他に共沸組成物となる組成物についても記載されていない。
ｃ　甲２の共沸組成物についての説明の記載からも理解できるとおり、共沸組成物は、組成物を構成する成分間の固有の関係、成分の組成範囲や組成物の各成分の正確な重量％によって、実質的に一定の温度で沸騰し、沸騰する液体組成と蒸気の組成とが同一となるものであり、単に組成物を構成する成分の数や種類が同一であることだけで共沸組成物となるものではないことが当該技術分野における技術常識といえる。
ｄ　そうすると、上記（甲２ｅ）の表１に示される実施例３〜５の「フッ化水素と１，３，３，３−テトラフルオロプロペン」に加え他の成分を含む７成分からなる組成物が、組成物を構成する成分の種類としては本件特許発明１の発明特定事項に含まれるからといって、甲２発明の組成物が、不均一共沸又は不均一共沸様である、共沸又は共沸様組成物であるかは不明である。
　したがって、上記相違点２−１は実質的な相違点であり、本件特許発明１は、甲２に記載された発明でない。
ウ　本件特許発明２〜３について
　本件特許発明２〜３はいずれも本件特許発明１の発明特定事項をさらに限定するものである。
　したがって、本件特許発明１が甲２に記載された発明でない以上、本件特許発明２〜３も同様に甲２に記載された発明でない。
エ　本件特許発明４について
（ア）対比
　本件特許発明４と甲２発明とを対比すると、上記イ（ア）で検討したのと同様のことに加え、甲２発明の「１２３４ｚｅ」は、上記（甲２ｅ）の凡例からみて、本件特許発明４の「Ｚ−１，３，３，３−テトラフルオロプロペン」であるものも含んでいるといえるから、両発明は、次の一致点及び相違点２−２を有する。
一致点：
　「フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、かつ、１，３，３，３−テトラフルオロプロペンがＺ−１，３，３，３−テトラフルオロプロペンである、組成物。」である点。
相違点２−２：
　「組成物」について、本件特許発明４は「不均一共沸又は不均一共沸様である、共沸又は共沸様組成物」であると特定しているのに対し、甲２発明は不明な点。
（イ）判断
　上記相違点２−２は、上記イ（イ）で検討した相違点２−１と同じ相違点であるから、相違点２−２も同様の理由により、実質的な相違点である。
　よって、本件特許発明４は、甲２に記載された発明でない。
オ　本件特許発明５について
（ア）対比
　本件特許発明５と甲２発明とを対比すると、上記イ（ア）で検討したのと同様のことに加え、甲２発明が「１２３３ｘｆ」（３，３，３−トリフルオロ−２−クロロプロペン）を含むことは、本件特許発明５における「かつ、フッ化水素と、１，３，３，３−テトラフルオロプロペンと、３，３，３−トリフルオロ−２−クロロプロペン」を含むことに相当するといえるから、両発明は、次の一致点及び相違点２−３を有する。
一致点：
　「フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　かつ、フッ化水素と、１，３，３，３−テトラフルオロプロペンと、３，３，３−トリフルオロ−２−クロロプロペンとを含む、組成物。」である点。
相違点２−３：
　「組成物」について、本件特許発明５は「不均一共沸又は不均一共沸様である、共沸又は共沸様組成物」であると特定しているのに対し、甲２発明は不明な点。
（イ）判断
　上記相違点２−３は、上記イ（イ）で検討した相違点２−１と同じ相違点であるから、相違点２−３も同様の理由により、実質的な相違点である。
　よって、本件特許発明５は、甲２に記載された発明でない。
カ　本件特許発明６及び８について
　本件特許発明６及び８と甲２発明とを対比すると、上記イ（ア）で検討したのと同様のことに加え、甲２発明が「１２３３ｚｄ」（Ｅ−３，３，３−トリフルオロ−１−クロロプロペンを含む）及び「２４５ｃｂ」（１，１，１，２，２−ペンタフルオロプロパン）を含むことは、それぞれ、本件特許発明６における「かつ、フッ化水素と、１，３，３，３−テトラフルオロプロペンと、Ｅ−３，３，３−トリフルオロ−１−クロロプロペン」を含むこと及び本件特許発明８における「かつ、フッ化水素と、１，３，３，３−テトラフルオロプロペンと、１，１，１，２，２−ペンタフルオロプロパン」を含むことに相当するといえるから、本件特許発明６及び８と甲２発明とは、上記オ（ア）で認定したのと同様の一致点及び相違点を有するといえる。
　そしてこの相違点は、上記イ（イ）で検討した相違点２−１と同じ相違点であるから、同様の理由により、実質的な相違点である。
　よって、本件特許発明６及び８は、甲２に記載された発明でない。
キ　本件特許発明７について
（ア）対比
　本件特許発明７と甲２発明とを対比すると、両発明は、上記イ（ア）で検討したのと同様の理由より、次の一致点及び相違点２−４〜２−５を有する。
一致点：
　「フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含む、組成物。」である点。
相違点２−４：
　「組成物」について、本件特許発明７は「かつ、フッ化水素と、１，３，３，３−テトラフルオロプロペンと、３，３，３−トリフルオロプロペンと、任意選択的に、１，１，１，２，２−ペンタフルオロプロパン及び２，３，３，３−テトラフルオロプロペンから選択される一又は複数の有機化合物とを含む」、すなわち「３，３，３−トリフルオロプロペン」を必ず含むと特定しているのに対し、甲２発明はこれを含まない点。
相違点２−５：
　「組成物」について、本件特許発明７は「不均一共沸又は不均一共沸様である、共沸又は共沸様組成物」であると特定しているのに対し、甲２発明は不明な点。
（イ）判断
　相違点２−４について検討するに、甲２発明は、本件特許発明７の組成物が含む「３，３，３−トリフルオロプロペン」を含まないのであるから、両発明は、組成物を構成する成分が異なっており、相違点２−４は実質的な相違点である。
　また、甲２全体の記載を参酌しても、甲２には、ＨＦと１２３３ｚｄ（Ｅ−３，３，３−トリフルオロ−１−クロロプロペンを含む）を含むとともに、「３，３，３−トリフルオロプロペン」を含む組成物は記載も示唆もされていない。
　よって、相違点２−５について検討するまでもなく、本件特許発明７は、甲２に記載された発明でない。
ク　本件特許発明１０〜１２について
　本件特許発明１０〜１２はいずれも本件特許発明１〜８の発明特定事項をさらに限定するものである。
　したがって、本件特許発明１〜８が甲２に記載された発明でない以上、本件特許発明１０〜１２も同様に甲２に記載された発明でない。
ケ　まとめ
　以上のとおりであるから、本件特許発明１〜８、１０〜１２に係る特許は、特許法第２９条第１項の規定に違反してされたものではなく、同法第１１３条第２号により取り消すべきものではない。
（３）甲３を主引例とする本件特許発明の新規性について
ア　甲３に記載された発明
　甲３は、１−クロロ−３，３，３−トリフルオロプロペンをフッ化水素によりフッ素化し、未反応の１−クロロ−３，３，３−トリフルオロプロペン、フッ化水素、塩化水素及び副生成物を含む１，３，３，３−テトラフルオロプロペンの混合物を得る合成工程と、混合物のフッ化水素及び塩化水素を硫酸、水又は塩基性水溶液と接触させフッ化水素を除去する酸除去工程と、特定の脱水方法により１，３，３，３−テトラフルオロプロペンを脱水する脱水工程とを含む、１，３，３，３−テトラフルオロプロペンの製造方法に関する技術を開示するものである（上記（甲３ａ））。
　そして、その具体例として、実施例２に、トランス−１−クロロ−３，３，３−トリフルオロプロペンをフッ化水素によりフッ素化し１，３，３，３−テトラフルオロプロペンを得る反応を１０時間継続し、反応後のガスを、酸吸収用の水の入ったトラップにバブリングさせ、未反応のフッ化水素及び塩化水素を吸収除去した後に、ガスクロマトグラフィーにて組成分析を行った結果が表２に示されている（上記（甲３ｃ））。
　よって、甲３には、実施例２の表２からみて、次の甲３発明が記載されていると認められる。
甲３発明：
「トランス−１，３，３，３−テトラフルオロプロペン、シス−１，３，３，３−テトラフルオロプロペン、トランス−１−クロロ−３，３，３−トリフルオロプロペン、シス−１−クロロ−３，３，３−トリフルオロプロペン、１，１，１，３，３−ペンタフルオロプロパンを含む組成物。」
イ　本件特許発明１について
（ア）対比
　本件特許発明１の「１，３，３，３−テトラフルオロプロペン」について、本件特許明細書【００１４】に「化合物１，３，３，３−テトラフルオロプロペンは、化合物Ｅ−１，３，３，３−テトラフルオロプロペン又は化合物Ｚ−１，３，３，３−テトラフルオロプロペンの何れかを含むか、或いは化合物Ｅ−１，３，３，３−テトラフルオロプロペンと化合物Ｚ−１，３，３，３−テトラフルオロプロペンとの混合物を含む。」と記載されているから、甲３発明の「トランス−１，３，３，３−テトラフルオロプロペン」及び「シス−１，３，３，３−テトラフルオロプロペン」は、本件特許発明１の「１，３，３，３−テトラフルオロプロペン」に相当するといえる。
　甲３発明の「トランス−１−クロロ−３，３，３−トリフルオロプロペン」は、本件特許発明１の「Ｅ−３，３，３−トリフルオロ−１−クロロプロペン」に相当する。
　そして、本件特許発明１は、「フッ化水素」及び「１，３，３，３−テトラフルオロプロペン」とともに、「Ｅ−３，３，３−トリフルオロ−１−クロロプロペン」を含む８種類の（ヒドロ）ハロカーボン化合物から選択される少なくとも一の化合物を含んでいればよく、他の（ヒドロ）ハロカーボン化合物が含まれることを排除していない。
　以上のことから、両発明は、次の一致点及び相違点３−１〜３−２を有する。
一致点：
　「１，３，３，３−テトラフルオロプロペン、及び１，１，１，２，２−ペンタフルオロプロパン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含む、組成物。」
相違点３−１：
　「組成物」について、本件特許発明１は「フッ化水素」を含むと特定しているのに対し、甲３発明はこれを含まない点。
相違点３−２：
　「組成物」について、本件特許発明１は「不均一共沸又は不均一共沸様である、共沸又は共沸様組成物」であると特定しているのに対し、甲３発明は不明な点。
（イ）判断
ａ　相違点３−１について
　甲３は、１，３，３，３−テトラフルオロプロペンの合成方法において、反応工程からの酸性成分を水洗浄などにより酸除去工程が必用となるところ、粗１，３，３，３−テトラフルオロプロペンが水を含むと、続く蒸留工程で不純物の除去などが難しくなることから、蒸留工程に先だって、特定の脱水工程を設けたことものである（上記（甲３ｂ））。
　すなわち、甲３は、フッ素化工程後に、未反応のＨＦを水洗することを前提とするものであるから、甲３発明においてＨＦを含むことについては、記載も示唆もない。
　そうすると、両発明は、組成物を構成する成分が異なっているから、相違点３−１は実質的な相違点である。
ｂ　相違点３−２について
　甲３の実施例２では、反応後のガスであって酸吸収用の水に接触させる前のガスはＨＦを含んでいることから、その状態のときについてみれば、ＨＦを含む組成物も記載されているということもでき、その場合は、本件特許発明１と甲３発明との上記相違点３−１は、相違点とはならないともいえる。
　しかしながら、仮にそのような発明を認定できたとしても、上記（２）イｃで甲２について検討したのと同様に、組成物を構成する成分の数や種類が同一であることだけで共沸組成物となるものではないから、上記相違点３−２も実質的な相違点である。
ｃ　よって、本件特許発明１は甲３に記載された発明でない。
ウ　本件特許発明２〜３について
　本件特許発明２〜３はいずれも本件特許発明１の発明特定事項をさらに限定するものである。
　したがって、本件特許発明１が甲３に記載された発明でない以上、本件特許発明２〜３も同様に甲３に記載された発明でない。
エ　本件特許発明４について
（ア）対比
　本件特許発明４と甲３発明とを対比すると、上記イ（ア）で検討したのと同様のことに加え、甲３発明の「シス−１，３，３，３−テトラフルオロプロペン」は、本件特許発明１の「１，３，３，３−テトラフルオロプロペンがＺ−１，３，３，３−テトラフルオロプロペンである」ことに相当するから、両発明は、次の一致点及び相違点３−３〜３−４を有する。
一致点：
　「１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、かつ、１，３，３，３−テトラフルオロプロペンがＺ−１，３，３，３−テトラフルオロプロペンである、組成物。」である点。
相違点３−３：
　「組成物」について、本件特許発明４は「フッ化水素」を含むと特定しているのに対し、甲３発明はこれを含まない点。
相違点３−４：
　「組成物」について、本件特許発明４は「不均一共沸又は不均一共沸様である、共沸又は共沸様組成物」であると特定しているのに対し、甲３発明は不明な点。
（イ）判断
　上記相違点３−３及び３−４は、上記イ（イ）で検討した相違点３−１及び３−２と同様な相違点であるから、これら相違点も同様の理由により、実質的な相違点である。
　よって、本件特許発明４は、甲３に記載された発明でない。
オ　本件特許発明６について
（ア）対比
　本件特許発明６と甲３発明とを対比すると、上記イ（ア）で検討したことに加え、甲３発明が「トランス−１−クロロ−３，３，３−トリフルオロプロペン」を含むことは、本件特許発明６において、「かつ、フッ化水素と、１，３，３，３−テトラフルオロプロペンと、Ｅ−３，３，３−トリフルオロ−１−クロロプロペン」とを含むことと、「１，３，３，３−テトラフルオロプロペンと、Ｅ−３，３，３−トリフルオロ−１−クロロプロペン」を含む点で共通する。
　よって、両発明は、次の一致点及び相違点３−５〜３−６を有する。
一致点：
　「１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、かつ、フッ化水素と、１，３，３，３−テトラフルオロプロペンと、Ｅ−３，３，３−トリフルオロ−１−クロロプロペンとを含む、組成物。」である点。
相違点３−５：
　「組成物」について、本件特許発明６は「フッ化水素」を含むと特定しているのに対し、甲３発明はこれを含まない点。
相違点３−６：
　「組成物」について、本件特許発明６は「不均一共沸又は不均一共沸様である、共沸又は共沸様組成物」であると特定しているのに対し、甲３発明は不明な点。
（イ）判断
　上記相違点３−５及び３−６は、上記イ（イ）で検討した相違点３−１及び３−２と同様な相違点であるから、これら相違点も同様の理由により、実質的な相違点である。
　よって、本件特許発明６は、甲３に記載された発明でない。
カ　本件特許発明５について
（ア）対比
　本件特許発明５と甲３発明とを対比すると、両発明は、上記イ（ア）で検討したのと同様の理由より、次の一致点及び相違点３−７〜３−９を有する。
一致点：
　「１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含む、組成物。」である点。
相違点３−７：
　「組成物」について、本件特許発明５は「フッ化水素」を含むと特定しているのに対し、甲３発明はこれを含まない点。
相違点３−８：
　「組成物」について、本件特許発明５は「かつ、フッ化水素と、１，３，３，３−テトラフルオロプロペンと、３，３，３−トリフルオロ−２−クロロプロペンと、任意選択的に、Ｅ−３，３，３−トリフルオロ−１−クロロプロペン、３，３，３−トリフルオロプロペン、１，１，１，２，２−ペンタフルオロプロパン及び２，３，３，３−テトラフルオロプロペンから選択される一又は複数の有機化合物とを含む」、すなわち「３，３，３−トリフルオロ−２−クロロプロペン」を必ず含むと特定しているのに対し、甲３発明はこれを含まない点。
相違点３−９：
　「組成物」について、本件特許発明５は「不均一共沸又は不均一共沸様である、共沸又は共沸様組成物」であると特定しているのに対し、甲３発明は不明な点。
（イ）判断
　事案に鑑み相違点３−８について検討するに、甲３発明は、本件特許発明５の組成物が含む「３，３，３−トリフルオロ−２−クロロプロペン」を含まないのであるから、両発明は、組成物を構成する成分が異なっており、相違点３−８は実質的な相違点である。
　また、甲３全体の記載を参酌しても、甲３には、１，３，３，３−テトラフルオロプロペンと３，３，３−トリフルオロプロペンを含む組成物は記載も示唆もされていない。
　よって、相違点３−７及び３−９について検討するまでもなく、本件特許発明５は、甲３に記載された発明でない。
キ　本件特許発明７及び８について
（ア）対比
　本件特許発明７及び８と甲３発明とを対比すると、上記カ（ア）で認定した一致点、相違点３−７及び３−９と同様の一致点及び相違点を有するとともに、それぞれ、次の相違点３−１０、３−１１を有するといえる。
相違点３−１０：
　「組成物」について、本件特許発明７は「かつ、フッ化水素と、１，３，３，３−テトラフルオロプロペンと、３，３，３−トリフルオロプロペンと、任意選択的に、１，１，１，２，２−ペンタフルオロプロパン及び２，３，３，３−テトラフルオロプロペンから選択される一又は複数の有機化合物とを含む」、すなわち「３，３，３−トリフルオロプロペン」を必ず含むと特定しているのに対し、甲３発明はこれを含まない点。
相違点３−１１：
　「組成物」について、本件特許発明８は「かつ、フッ化水素と、１，３，３，３−テトラフルオロプロペンと、１，１，１，２，２−ペンタフルオロプロパンと、任意選択的に２，３，３，３−テトラフルオロプロペンとを含む」、すなわち「１，１，１，２，２−ペンタフルオロプロパン」を必ず含むと特定しているのに対し、甲３発明はこれを含まない点。
（イ）判断
　事案に鑑み相違点３−１０及び３−１１について検討するに、これら相違点は、上記カ（イ）で検討した相違点３−８と同様の理由により、実質的な相違点である。
　よって、本件特許発明７及び８は、甲３に記載された発明でない。
ク　本件特許発明１０〜１２について
　本件特許発明１０〜１２はいずれも本件特許発明１〜８の発明特定事項をさらに限定するものである。
　したがって、本件特許発明１〜８が甲３に記載された発明でない以上、本件特許発明１０〜１２も同様に甲３に記載された発明でない。
ケ　まとめ
　以上のとおりであるから、本件特許発明１〜８、１０〜１２に係る特許は、特許法第２９条第１項の規定に違反してされたものではなく、同法第１１３条第２号により取り消すべきものではない。
４　小括
　よって、取消理由通知において採用しなかった特許異議申立理由には理由がない。
第６　むすび
　以上のとおりであるから、取消理由通知に記載した取消理由及び異議申立書に記載した特許異議申立理由によっては、請求項１〜８、１０〜１２に係る特許を取り消すことはっできない。
　また、他に請求項１〜８、１０〜１２に係る特許を取り消すべき理由を発見しない。
　さらに、本件訂正により請求項９に係る特許は削除されたため、異議申立人の請求項９に係る特許についての特許異議の申立てについては、対象となる請求項が存在しない。よって、請求項９に係る特許異議の申立ては不適法であって、その補正をすることができないものであるから、特許法第１２０条の８で準用する同法第１３５条の規定により、却下すべきものである。
　よって、結論のとおり決定する。
【異議決定日】
令和１年１２月１８日（２０１９．１２．１８）
【訂正の要旨】
審決（決定）の【理由】欄参照。
（５７）【特許請求の範囲】
　【請求項１】
　フッ化水素、１，３，３，３−テトラフルオロプロペン、及び１，１，１，２，２−ペンタフルオロプロパン
、３
　不均一共沸又は不均一共沸様である、
共沸又は共沸様組成物。
　【請求項２】
　フッ化水素、１，３，３，３−テトラフルオロプロペン、並びに、３，３，３−トリフルオロ−２−クロロプロペン、Ｅ−３，３，３−トリフルオロ−１−クロロプロペン、３，３，３−トリフルオロプロペン
及び
ンか
　【請求項３】
　１，３，３，３−テトラフルオロプロペンがＥ−１，３，３，３−テトラフルオロプロペンである、請求項１又は２に記載の組成物。
　【請求項４】
　
フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　不均一共沸又は不均一共沸様であり、かつ、
共沸又は共沸様組成物
　【請求項５】
　
フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　不均一共沸又は不均一共沸様であり、かつ、
共沸又は共沸様組成物
　【請求項６】
　
フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　不均一共沸又は不均一共沸様であり、かつ、
共沸又は共沸様組成物
　【請求項７】
　
フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　不均一共沸又は不均一共沸様であり、かつ、
共沸又は共沸様組成物
　【請求項８】
　
フッ化水素、１，３，３，３−テトラフルオロプロペン、及び１，１，１，２，２−ペンタフルオロプロパン、２，３，３，３−テトラフルオロプロペン、３，３，３−トリフルオロプロペン、３，３，３−トリフルオロ−２−クロロプロペン、Ｅ−３，３，３−トリフルオロ−１−クロロプロペン、トリフルオロプロピン、１，１，１，３，３−ペンタフルオロプロペン、１，１，１，２，３−ペンタフルオロプロペン及び２−クロロ−１，１，１，２−テトラフルオロプロパンから選択される１から３個の炭素原子を含む一又は複数の（ヒドロ）ハロカーボン化合物を含み、
　不均一共沸又は不均一共沸様であり、かつ、
共沸又は共沸様組成物
　【請求項９】
（削除）
　【請求項１０】
　１から９５重量％のフッ化水素及び合計９９から５重量％の有機化合物を含む、請求項１から
８
　【請求項１１】
　５から８５重量％のフッ化水素及び合計９５から１５重量％の有機化合物を含む、請求項１から
８及び
　【請求項１２】
　前記組成物の沸点が、０．１から４４ｂａｒの絶対圧で−２０℃から８０℃である、請求項１から
８、１０及び